(57)【特許請求の範囲】
【請求項１】
容器の口部に装着され該容器に充填された内容物の不正使用を防止するための中栓を有し、前記中栓の外周に前記容器の口部と嵌合する袴部を形成すると共に、該袴部の端縁に外周面にローレット、梨地等の模様を形成した薄肉部を形成し、該薄肉部が前記容器の首部外周に当接するよう構成したことを特徴とする不正使用防止容器。
【請求項２】
容器の口部に装着され該容器に充填された内容物の不正使用を防止するための中栓を有し、前記中栓の外周に前記容器の口部と嵌合する袴部を形成すると共に、該袴部の端縁に薄肉部を形成し、該薄肉部の外周面に二次加工によりホットスタンプ、印刷等の模様を形成し、該薄肉部が前記容器の首部外周に当接するよう構成したことを特徴とする不正使用防止容器。
【発明の詳細な説明】
【０００１】
【発明の属する技術分野】
本発明は、使用前の容器内容物の正当性を担保する不正使用防止容器に関するものである。
【０００２】
【従来の技術】
従来より、ガラス製の容器、合成樹脂製の容器に化粧料、食品等を充填して販売することが行われている。これ等の容器にあっては、販売のための展示中に内容物が不正使用されたり、異物を混入されるおそれがある。このような場合、メーカーの信用が著しく失墜するばかりではなく、顧客の不利益になるという問題がある。
【０００３】
このため上記容器では不正使用を防止するための、いわゆるバージン中栓を注出口に装着することが行われている。このような容器の構成について図９により説明する。
【０００４】
図に於いて、容器51の口部52にリング状の突起53が形成されている。中栓54は合成樹脂によって容器51の口部52に対応した形状に成形されている。中栓54の中央には注出口54ａが形成されており、この注出口54ａにシール片55がヒートシールにより貼着されている。また中栓54の外周には袴部54ｂが形成されており、この袴部54ｂの内部に容器51に形成したリング状の突起53と係合する係止突起56が形成されている。そして中栓54を容器51の口部52に対向させて下方に押圧すると、中栓54の袴部54ｂに撓みが生じて突起53と係止突起56が係合することで、中栓54が容器51に装着される。
【０００５】
上記の如く中栓54とシール片55とがヒートシールされているため、剥がしたシール片55は元に戻すことができない。このため容器51の展示中に内容物の不正使用、異物の混入等がされるとその形跡が残り、顧客が容易に視認してその異常を認識することができる。
【０００６】
【発明が解決しようとする課題】
しかし、上記の如くシールを設けた不正使用防止容器であっても、該中栓54を容器の口部52から容易に取り外すことが出来るとすれば、注出口54ａによらずに不正使用等をすることができ、封印の用を成さないという問題がある。特に容器がガラス製の瓶である場合、製造上の問題から口部52及び該口部に形成したリング状の突起53の寸法にバラツキが生じることがある。このような寸法のバラツキが生じた場合、容器の口部52に装着された中栓54と容器との嵌合力（容器から中栓を引き抜く際の力）にバラツキが生じたり、中栓の袴部54ｂの端面と口部52との間に爪や箆状の工具を差し込み得るような間隙57が生じるおそれがある。
【０００７】
このため、前記嵌合力が一定の水準以下の容器、或いは中栓54と容器51との間の間隙57が大きいものについては不良品として処理しているが、中には前記間隙57に強引に爪や工具を差し込んでこじることで、口部52から中栓54を取り外すことが可能な容器も出現する。このような容器では、充填された内容物の不正使用を防止することが困難となる虞がある。
【０００８】
そこで本発明は、中栓に形成した袴部の下端部に爪或いは工具等が掛かりにくくし、中栓を取り外しにくくするとともに、中栓を不正に外した場合に中栓に痕跡が残るようにして内容物の不正使用、異物の混入等を防止することができる不正使用防止容器を提供することを目的とする。
【０００９】
【課題を解決するための手段】
上記課題を解決するために本発明に係る不正使用防止容器の代表的な構成は、容器の口部に装着され該容器に充填された内容物の不正使用を防止するための中栓を有し、前記中栓の外周に前記容器の口部と嵌合する袴部を形成すると共に、該袴部の端縁に外周面にローレット、梨地等の模様をつけた薄肉部を形成し、該薄肉部が前記容器の首部外周に当接するよう構成したことを特徴とする。
【００１０】
また、前記中栓の袴部の外周面にホットスタンプ、印刷等の模様を付した不正使用防止容器としてもよい。
【００１１】
【発明の実施の形態】
［第一実施形態］
本発明にかかる不正使用防止容器の第一実施形態について、図を用いて説明する。図１は本実施形態に係る不正使用防止容器の部分断面斜視図、図２は不正使用防止容器の部分断面側面図である。
【００１２】
図において、本実施形態に係る不正使用防止容器（以下容器１という）は、化粧料或いは食品などの内容物を収納するための収納部１ａと、口部２及びネジ部３からなる首部とから構成されている。口部２は中栓４を装着し容器１内に充填された内容物の不正使用を防止するものであり、ネジ部３は図示しない合成樹脂製のキャップを装着するためのネジ３ａを形成している。また容器１はガラス或いは金属などの材料を用いて円筒状或いは角筒状など、あらかじめ意匠的に設定された所望の形状に成形されている。
【００１３】
中栓４の中央には注出口４ａが形成されており、この注出口４ａにはつまみ５ａを有するシール片５がヒートシールにより貼着されている。また中栓４の下面中央には口部２に挿入される嵌合筒７が垂下形成されており、下面外周には口部２に外挿される袴部４ｂが垂下形成されている。
【００１４】
容器１の口部２外周にはリング状の突起２ａが形成されており、また中栓４の袴部４ｂの内側に容器１の突起２ａと係合する係止突起４ｃが形成されている。中栓４はポリエチレン等の可撓性を有する熱可塑性樹脂にて、口部２に対応した形状に射出成形されている。従って、中栓４を容器１の口部２に装着する場合、中栓４に軸方向の力を付与することで袴部４ｂが弾性変形し、係止突起４ｃが突起２ａを乗り越えて互いに係合することができる。
【００１５】
中栓４の袴部４ｂの下端端縁には、フィン状の薄肉部６が全周にわたって形成されている。薄肉部６は袴部４ｂと同一の外表面を有して形成されており、外観上は袴部４ｂと薄肉部６の区別がない。また、薄肉部６の外周面にはローレット模様Ｍ１（縦方向の溝）が形成されている。このローレット模様Ｍ１は、一定間隔で直線状に付されている。一方容器１の口部２には、ネジ部３よりも小径であって、且つ薄肉部６の内周と略等しいか或いは若干大きい外径を有する段部２ｂを形成している。ここで中栓４が適度な可撓性を有する合成樹脂によって成形されているため、中栓４を口部２に取り付ける際に薄肉部６が変形し、段部２ｂに嵌合する如く圧入される。
【００１６】
上記の如く構成した容器１において、中栓４を容器１に装着した際には、図２に示す如く薄肉部６が段部２ｂにほぼ密着している。従って薄肉部６は段部２ｂに支持されることとなり、外部からの力に対し高い強度を有して撓むことがない。
【００１７】
また、薄肉部６のすぐ背面に段部２ｂが位置していることにより、中栓４と容器１との間に刃物を挿入された場合にも、極めて浅くしか挿入することができない。このため刃物によって中栓４を押し上げる面積（薄肉部６下端の面積）が狭く、中栓４を取り外すほどの力を加えることができない。
【００１８】
また、かかる狭い面積によって中栓４を取り外すべく無理に力を加えるとすれば、薄肉部６が変形或いは損傷し、また少なくとも薄肉部６の外周面に形成したローレット模様Ｍ１の変形は避けられない。従って、顧客が購入の際に容器１の外観を観察し、規則的に直線状に付されたローレット模様Ｍ１の変形の有無を確認することにより、中栓４が取り外されたことがあるか否かを判断することができ、内容物の不正使用、異物の混入等を防止することができる。
【００１９】
［第二実施形態］
次に、本発明にかかる不正使用防止容器の第二実施形態について、図を用いて説明する。図３は本実施形態に係る不正使用防止容器の部分断面斜視図、図４乃至図７は不正使用防止容器の部分断面側面図である。上記第一実施形態と説明の重複する部分については、同一の符号を付して説明を省略する。
【００２０】
図３に示すように、本実施形態に係る不正使用防止容器（以下容器９という）は、第一実施形態に係る容器１と同様に収納部９ａと、口部２及びネジ部３からなる首部とから構成しているが、薄肉部と嵌合するための段部２ｂは設けていない。これに伴い、中栓４の袴部４ｂの下端にはフィン状の薄肉部10を設けているが、該薄肉部10の内周はネジ部３の外周面３ｂと略等しいか或いは若干小さい径に形成している。
【００２１】
すなわち、本実施形態において中栓４を容器９に取り付けた際には、図４に示す如く薄肉部10下端が露出しつつ、ネジ部３の外周面３ｂに嵌合される。これによって上記第一実施形態と同様に、薄肉部10の撓みを防ぐと共に、中栓４を持ち上げるために力を掛けることのできる面積を極めて狭くすることができる。
【００２２】
また、上記実施形態の容器１では、薄肉部６の外周面にローレット模様Ｍ１を形成する例を示したが、形成する模様はこれに限られるものではなく、他の模様の例を図５乃至図７に示す。
【００２３】
図５は横方向（円周方向）の溝Ｍ２を形成した例を示す図である。かかる溝Ｍ２を付すことにより、円周方向の突条模様は中栓４を外そうとした場合、その方向に交差する方向となるため、力が加わった場合、その変形が大きくなり、改ざんの発見が容易となる。
【００２４】
図６は斜め方向の溝Ｍ３を形成した例を示す図である。この例では、薄肉部６の外周面にローレット模様Ｍ１に変えて斜めの突条を規則的に形成した溝Ｍ３を形成している。
【００２５】
図７は梨地模様Ｍ４を形成した例を示す図である。この例では、薄肉部６の外周面にローレット模様Ｍ１に変えて梨地模様Ｍ４を形成している。
【００２６】
上記模様を設けることにより、上記第一実施形態と同様に溝Ｍ２、Ｍ３、梨地模様Ｍ４の変形の有無を確認することにより、中栓４が取り外されたことがあるか否かを判断することができ、内容物の不正使用、異物の混入等を防止することができる。
【００２７】
［第三実施形態］
次に、本発明にかかる不正使用防止容器の第三実施形態について、図を用いて説明する。上記第一実施形態と説明の重複する部分については、同一の符号を付して説明を省略する。
【００２８】
上記実施形態の容器１では、薄肉部６の外周面にローレット模様Ｍ１を形成する例を示したが、形成する模様はこれに限られるものではなく、他の模様の例を図８に示す。
【００２９】
図８は縦方向のスクリーントーンＭ５を形成した例を示す図である。図８に示すように、薄肉部10の外周面には二次加工によりホットスタンプ、印刷等の模様としてスクリーントーンＭ５が施されている。このスクリーントーンＭ５は、規則的に形成されており、中栓４を外そうとした時にできる薄肉部10の変形、剥がれをスクリーントーンＭ５の変形、剥がれにより容易に確認することができる。
【００３０】
上記模様を設けることにより、上記第一実施形態と同様にスクリーントーンＭ５の変形、剥がれの有無を確認することにより、中栓４が取り外されたことがあるか否かを判断することができ、内容物の不正使用、異物の混入等を防止することができる。
【００３１】
【発明の効果】
上記説明した如く、本発明にかかる不正使用防止容器においては、外周に容器の口部と嵌合する袴部を形成すると共に、該袴部の端縁に外周面にローレット、梨地等の模様を形成した薄肉部を形成し、該薄肉部が前記容器の首部外周に当接するよう構成した。これにより、中栓を外しにくくするとともに、中栓を不正に外した場合に中栓に痕跡が残るようにして内容物の不正使用、異物の混入等を防止することができる。
【００３２】
また、外周に容器の口部と嵌合する袴部を形成すると共に、該袴部の端縁に薄肉部を形成し、該薄肉部の外周面に二次加工によりホットスタンプ、印刷等の模様を形成し、該薄肉部が前記容器の首部外周に当接するよう構成した。これにより、同様に、中栓を外しにくくするとともに、中栓を不正に外した場合に中栓に痕跡が残るようにして内容物の不正使用、異物の混入等を防止することができる。
【図面の簡単な説明】
【図１】第一実施形態に係る不正使用防止容器の部分断面斜視図である。
【図２】不正使用防止容器の部分断面側面図である。
【図３】第二実施形態に係る不正使用防止容器の部分断面斜視図である。
【図４】不正使用防止容器の部分断面側面図である。
【図５】不正使用防止容器の部分断面側面図である。
【図６】不正使用防止容器の部分断面側面図である。
【図７】不正使用防止容器の部分断面側面図である。
【図８】第三実施形態に係る不正使用防止容器の部分断面側面図である。
【図９】従来例に係る不正使用防止容器の部分断面斜視図である。
【符号の説明】
Ｍ１  …ローレット模様
Ｍ２、Ｍ３  …溝
Ｍ４  …梨地模様
Ｍ５  …スクリーントーン
１ …容器
１ａ …収納部
２ …口部
２ａ …突起
２ｂ …段部
３ …ネジ部
３ａ …ネジ
３ｂ …外周面
４ …中栓
４ａ …注出口
４ｂ …袴部
４ｃ …係止突起
５ …シール片
５ａ …つまみ
６ …薄肉部
７ …嵌合筒
９ …容器
９ａ …収納部
10 …薄肉部
【図１】
0004022086.tif 000002
【図２】
0004022086.tif 000003
【図３】
0004022086.tif 000004
【図４】
0004022086.tif 000005
【図５】
0004022086.tif 000006
【図６】
0004022086.tif 000007
【図７】
0004022086.tif 000008
【図８】
0004022086.tif 000009
【図９】
0004022086.tif 000010